(57)【要約】      （修正有）【課題】簡単な操作によって針基を注射筒内部に引き込み、同時に斜めに収容することができる使い捨て安全注射器を提供する。【解決手段】針基１０と、接合部２０と、注射筒３０と、プランジャー４０とからなる使い捨て安全注射器であり、接合部２０は注射筒３０内部の前端部３１に固定され、針基１０は外装式または内装式であり接合部２０前端面に嵌設され、接合部２０後端面２３上には枢動片２４が設けられ、辺縁の接続片２５によって接合部２０後端面２３と接続され、接続片２５が枢動片２４の枢軸となり、枢動片２４を接合部２０の後端面２３に貼合したり、接続片２５を枢軸として枢動片２４を開いたりすることができる。注射完了後、プランジャー４０前端面４２の嵌合錐４５を接合部２０の貫通孔２６に貫通させ、フック部４４を係合し、プランジャー４０を引くことによって針基１０を斜めに安全に注射筒３０内に収容できる。【選択図】図１４
0003113450.tif 000002
【実用新案登録請求の範囲】
【請求項１】
針基と、接合部と、注射筒と、プランジャーとを備える使い捨て安全注射器であって、
前記針基は、注射針および基台を備え、基台は接合部前端面の環状支持台上に嵌設され、
前記接合部は、注射筒内部の前端部に固定され、内部に流道を備えて一体に成型されており、前端面には口径の小さな環状支持台が形成されて針基が嵌設され、外周縁面上には一つまたはそれ以上の環状凹溝が形成されてガスケットが嵌設され、後端面上には適当な厚さの枢動片が設けられ、前記枢動片はその辺縁部の接続片を利用して接合部の後端面と接続され、前記接続片には枢動片の枢軸が形成され、枢動片を接合部の後端面に貼合したり、接続片を枢軸として開いたりすることができ、枢動片中央には適当な口径の円形の貫通孔が設けられ、接合部内部の流道空間に貫通しており、
前記プランジャーは、注射筒内部を往復移動し、前端部分の外縁面には環状凹溝が設けられ、ガスケットが嵌設され、前端面には枢動片中央の貫通孔に対応した凸柱が設けられ、前記凸柱は適当な高さを有し、その上端にはフック部を備える嵌合錐が設けられており、
前記プランジャーが前に押されて凸柱上の嵌合錐が貫通孔に達したとき、プランジャーを更に押し込んで嵌合錐を貫通孔内に進入させることができ、フック部が貫通孔に係合されることによって、プランジャーを引いたとき、前記枢動片は後端面から離合して先ず傾斜状態となり、さらに接続片によって接合部およびその上部の針基を後部に移動させて注射筒内部に引き込むことができることを特徴とする使い捨て安全注射器。
【請求項２】
前記針基は、先ず接合部前端面の環状支持台上に嵌設され、続いて注射筒の後端口から注射筒内部に入れられ、接合部が注射筒内部の前端部に定位されるとき、前記注射針が注射筒の前端口外部に露出することを特徴とする請求項１記載の使い捨て安全注射器。
【請求項３】
前記接合部は、注射筒の後端口から内部に入れられ、注射筒内部の前端部に押し込まれて固定され、針基は注射筒の前端口から接合部前端面の管状支持台に嵌設され、注射針が注射筒の前端口外部に露出することを特徴とする請求項１記載の使い捨て安全注射器。
【請求項４】
前記枢動片が接合部の後端面上に貼合わされるとき、前記枢動片と後端面の外表面は平面を形成しているのが最も良いことを特徴とする請求項１記載の使い捨て安全注射器。
【考案の詳細な説明】
【技術分野】
【０００１】
本考案は、使い捨て安全注射器に関し、特に、注射を完了した後に簡単な操作によって針基を注射筒内部に引き込み、同時に斜めに収容することができる使い捨て安全注射器に関する。
【背景技術】
【０００２】
注射器は大量に使用されている医療器具であり、主に、針基、注射筒およびプランジャーなどの部材からなり、衛生面と安全性が考慮されて一般に使用後は廃棄され、使い捨ての構造に関して多種の設計がなされており、例えば、廃棄前に注射針を注射筒内に引き込み、外部に露出した注射針が人体に刺さって伝染病に感染する事故を防ぐものや、注射針を注射筒内に引き込んだ後、プランジャーによって注射針やピストンを破壊する設計のものなどがある（例えば、特許文献１)。
また、一般に注射器は針基が外装式のものと内装式のものとに分類され、外装式の針基は注射筒の頭端外部に針基を嵌設するものであり、注射時、必要に応じて簡単に針基を交換でき、内装式の針基は注射筒尾端開口部（プランジャーの挿入端）から針基を入れ、注射筒頭端まで押して固定し、注射針を外部に露出させるものであるが、使用時、針基を交換することは不可能または困難である。
従来技術による使い捨て安全注射器の構造は複雑であり、量産化に不利であり、針基を注射筒内に引き込むことや、注射針を破壊することなどの使用後の破壊動作の簡便性に影響を与えており、使用される針基は通常外装式または内装式のどちらかに限られ、共通使用できず、製造コストを増加させている。
【特許文献１】特開平８−１６８５２９号公報
【考案の開示】
【考案が解決しようとする課題】
【０００３】
本考案の主な目的は、針基と、接合部と、注射筒と、プランジャーとから構成され、接合部は注射筒内部前端に設置され、薬品液の停止端を形成しており、その前端面上には管体が設けられて針基が嵌設され、その後端面上には適当な厚さを有する枢動片が一体に設けられ、枢動片と接合部本体との間は辺縁の接続片によって接続され、接続片が枢軸となり、枢動片を接合部の後端面に貼合わしたり、開いたりすることができ、また、枢動片中央には適当な口径の円形の貫通孔が設けられ、プランジャー前端面には枢動片中央の貫通孔に対応した凸柱が設けられ、凸柱上端にはフック部を備える嵌合錐が設けられており、注射完了後、プランジャーを更に押し込んで嵌合錐を貫通孔内に進入させてフック部を貫通孔に係合でき、プランジャーを引くと、枢動片が後端面から離合して先ず傾斜状態となり、さらに接続片によって一方の辺から接合部およびその上部の針基を後部に移動させて注射筒内部に引き込むことができ、接合部および針基が注射筒内部に斜めに収容されるので安全である使い捨て安全注射器を提供することにある。
本考案のもう一つの目的は、接合部が注射筒内部前端に押し込まれて固定され、接合部前端面上には管体が設けられて針基が嵌設される構造になっており、それにより接合部を外装式および内装式の針基に対応させることができ、安全注射器の使用上の利便性と使用範囲を広げることができる使い捨て安全注射器を提供することにある。
【課題を解決するための手段】
【０００４】
上述の課題を解決するため、請求項１の考案は、針基と、接合部と、注射筒と、プランジャーとを備える使い捨て安全注射器であって、針基は、注射針および基台を備え、基台は接合部前端面の環状支持台上に嵌設され、接合部は、注射筒内部の前端部に固定され、内部に流道を備えて一体に成型されており、前端面には口径の小さな環状支持台が形成されて針基が嵌設され、外周縁面上には一つまたはそれ以上の環状凹溝が形成されてガスケットが嵌設され、後端面上には適当な厚さの枢動片が設けられ、枢動片はその辺縁部の接続片を利用して接合部の後端面と接続され、接続片には枢動片の枢軸が形成され、枢動片を接合部の後端面に貼合したり、接続片を枢軸として開いたりすることができ、枢動片中央には適当な口径の円形の貫通孔が設けられ、接合部内部の流道空間に貫通しており、プランジャーは、注射筒内を往復移動し、前端部分の外縁面には環状凹溝が設けられ、ガスケットが嵌設され、前端面には枢動片中央の貫通孔に対応した凸柱が設けられ、凸柱は適当な高さを有し、その上端にはフック部を備える嵌合錐が設けられており、プランジャーが前に押されて凸柱上の嵌合錐が貫通孔に達したとき、プランジャーを更に押し込んで嵌合錐を貫通孔内に進入させることができ、フック部が貫通孔に係合されることによって、プランジャーを引いたとき、前記枢動片は後端面から離合して先ず傾斜状態となり、さらに接続片によって接合部およびその上部の針基を後部に移動させて注射筒内部に引き込むことができることを特徴とする使い捨て安全注射器である。
【０００５】
請求項２の考案は、針基は、先ず接合部前端面の環状支持台上に嵌設され、続いて注射筒の後端口から注射筒内部に入れられ、接合部が注射筒内部の前端部に定位されるとき、注射針が注射筒の前端口外部に露出することを特徴とする請求項１記載の使い捨て安全注射器である。
【０００６】
請求項３の考案は、接合部は、注射筒の後端口から内部に入れられ、注射筒内部の前端部に押し込まれて固定され、針基は注射筒の前端口から接合部前端面の管状支持台に嵌設され、注射針が注射筒の前端口外部に露出することを特徴とする請求項１記載の使い捨て安全注射器である。
【０００７】
請求項４の考案は、枢動片が接合部の後端面上に貼合されるとき、枢動片と後端面の外表面は平面を形成しているのが最も良いことを特徴とする請求項１記載の使い捨て安全注射器である。
【考案の効果】
【０００８】
本考案の使い捨て安全注射器によれば、プランジャーの前端面には貫通孔に対応した凸柱が設けられ、その上端にはフック部を備える嵌合錐が設けられており、プランジャーが前に押されて嵌合錐が枢動片の貫通孔に達して注射が完了して注射器の廃棄前の処理を行う場合、プランジャーを更に押し込んで嵌合錐をさらに貫通孔内に進入させてフック部を完全に貫通孔に貫通させ、その後、フック部が貫通孔に係合されることによって、プランジャーを引いたとき、枢動片は後端面から離合して先ず傾斜状態となり、接続片によって接合部および針基を後部に移動させて注射筒内部に引き込むことができ、注射針を外部に露出させないようにできる。また、このとき、プランジャーロッドに設けられた切断部によってプランジャーを切断でき、プランジャーが再び押されて針基が再び露出するのを防ぐことができる。
【考案を実施するための最良の形態】
【０００９】
本考案の使い捨て安全注射器の好適な実施例を図面に沿って説明する。
図１、２、３、４に示すように、本実施例による使い捨て安全注射器１は、針基１０と、接合部２０と、注射筒３０と、プランジャー４０とから構成され、接合部２０は注射筒３０内部の前端部３１に設置されて固定され、薬品液の停止端を形成している。針基１０は一般の針基であり、注射針１１および基台１２を備え、先ず接合部２０前端面の環状支持台２１上に嵌設され、続いて注射筒３０の後端口３２から内部に入れられ、接合部２０が注射筒３０内部の前端部３１に定位されるとき、注射針１１が注射筒３０の前端口３３外部に露出し、一般に内装式と呼ばれる針基１０であり、通常、組立後または使用時に針基１０が交換されることはない。
プランジャー４０は、注射筒３０内部を往復移動し、前端部分の外縁面には環状凹溝４１が設けられ、そこにガスケット３が嵌設され、薬品液の後部停止端を形成している。使用時、図１１に示すように、プランジャー４０を引いて薬品瓶内の薬品液４を注射筒３０内に導入し、図１２に示すようにプランジャー４０を押して薬品液４を接合部２０および針基１０から放出させて注射を行う。
【００１０】
図５、６、７、８に示すように、接合部２０は内部に流道を備えて一体に成型されており、前端面には口径の小さな環状支持台２１が形成されて針基１０が嵌設されており、その外周縁面上には一つまたはそれ以上の環状凹溝２２が形成されてガスケット３が嵌設され、注射筒３０内部の直径に合わせて注射筒３０内の前端部３１に設置されて密封を行い、その後端面上には適当な厚さを有する枢動片２４が設けられ、枢動片２４はその辺縁の接続片２５によって接合部２０後端面２３と接続され、接続片２５が枢動片２４の枢軸となり、図５、６に示すように、枢動片２４を接合部２０の後端面２３に貼合したり、図７、８に示すように、接続片２５を枢軸として枢動片２４を開いたりすることができる。また、図５、６に示すように、枢動片２４が接合部２０の後端面２３上に貼合されるとき、枢動片２４と後端面２３の外表面は平面を形成しているのが最も良い。
接続片２５は弾性を有する設計にすることができ、図９、１０に示すように、接続片２５の断面をＶ型にしてその弾性を増加させることができ、枢動片２４は弾性を持って接合部２０の後端面２３上に貼合され、外力によって引き離されない限り脱落しない構造にすることができる。また、枢動片２４中央には適当な口径の円形の貫通孔２６が設けられ、接続部２０の流道空間に貫通している。
【００１１】
図３、４に示すように、プランジャー４０の前端面４２には貫通孔２６に対応した凸柱４３が設けられ、凸柱４３は適当な高さを有し、その上端にはフック部４４を備える嵌合錐４５が設けられており、嵌合錐４５のサイズは貫通孔２６に合わせて設定され、プランジャー４０が前に押されて嵌合錐４５が枢動片２４の貫通孔２６に達して注射が完了したとき、嵌合錐４５の大部分は貫通孔２６内に貫通されるが、図４に示すように、フック部４４はまだ貫通孔２６を越えておらず、安全注射器１の廃棄前の処理を行う場合は、図１３に示すように、プランジャー４０を更に押し込んで嵌合錐４５をさらに貫通孔内に進入させてフック部４４を完全に貫通孔２６に貫通させ、その後、フック部４４が貫通孔２６に係合されることによって、プランジャー４０を引いたとき、図７、８、１４に示すように、枢動片２４は後端面２３から離合して先ず傾斜状態となり、図１４に示すように、接続片２５によって接合部２０および針基１０を後部に移動させて注射筒３０内部に引き込むことができ、注射針１１を外部に露出させないようにできる。またこのとき、図１６に示すように、プランジャーロッド４６に設けられた切断部４７によってプランジャー４０を切断でき、プランジャー４０が再び押されて針基１０が再び露出するのを防ぐことができる。
【００１２】
枢動片２４と接合部２０後端面２３との間の接続片２５は辺縁部分付近に位置するので、接続片２５が接合部２０を引っ張る力の方向は辺縁から中心軸部分に向かう力であり、接合部２０に対してトルクが形成されて接合部２０が注射筒３０に引き込まれるとき、接合部２０は斜めに傾き、図１４に示すように接合部２０前端に嵌設された針基１０も斜めに注射筒３０内に引き込まれる。このとき、プランジャーロッド４６をまだ切断せずに、先ずプランジャー４０を押し込み、斜めになった注射針１１の先端を例えば前端部３１の内部凸縁などの注射筒３０内の凸縁上に接触させ、図１５に示すように、注射針１１に力を加えて注射筒３０内で湾曲させ、注射針１１を破壊して安全にし、その後、プランジャーロッド４６を切断部４７によって切断することができる。
【００１３】
図１７、１８、１９、２０、２１に示すように、使い捨て安全注射器２は使い捨て安全注射器１とほぼ同様の部材および構造を有し、図２０、２１に示すように、同様の効果を達成できるものであるが、両者の相違点としては、使い捨て安全注射器２の注射筒３０ａには前端口３４が設けられ、その口径は使い捨て安全注射器１の注射筒３０の前端口３３の口径よりも大きく、組立時、接合部２０は注射筒３０ａの後端口３２から注射筒３０ａ内部の前端部３１に入れられて固定され、液体薬の前部停止端を形成し、針基１０は注射筒３０ａの前端口３４から接合部２０前端面の管状支持台２１上に嵌設され、注射針１１を注射筒３０ａの前端口３４外部に露出させることができ、一般に言う外装式の針基が形成されており、組立後または使用時に必要に応じて簡単に針基を交換できる。
なお、本考案の特徴を害するものでなければ、上記各実施例に限定させるものではないことは勿論である。
【図面の簡単な説明】
【００１４】
【図１】本考案の一実施例の使い捨て安全注射器の斜視図である。
【図２】図１の注射器を示す分解図である。
【図３】図１の注射器を示す断面図である。
【図４】図３のプランジャーが接合部に到達した状態を示す断面図である。
【図５】本考案の接合部の枢動片が開いていない状態を示す斜視図である。
【図６】図５の接合部を示す断面図である。
【図７】図５の接合部の枢動片が開いた状態を示す斜視図である。
【図８】図７の接合部を示す断面図である。
【図９】本考案の接合部の接続片のもう一つの実施例の斜視図である。
【図１０】図９の接合部を示す断面図である。
【図１１】図３の注射器が薬品液を吸入する状態を示す断面図である。
【図１２】本考案の注射器が薬品液を注射する状態を示す断面図である。
【図１３】本考案のプランジャーと枢動片との連結を示す断面図である。
【図１４】本考案の接合部を注射筒内に引き込んだ状態を示す断面図である。
【図１５】図１４の注射針を破壊した状態を示す断面図である。
【図１６】図１５のプランジャーを切断した状態を示す断面図である。
【図１７】本考案の別の実施例の使い捨て安全注射器を示す分解図である。
【図１８】図１７の針基を装着する様子を示す断面図である。
【図１９】図１７の組立後の状態を示す断面図である。
【図２０】図１８の接合部を注射筒内に引き込んだ状態を示す断面図である。
【図２１】図１９の注射針を破壊した状態を示す断面図である。
【符号の説明】
【００１５】
１、２  使い捨て安全注射器
３      ガスケット
４      薬品液
１０    針基
１１    注射針
１２    基台
２０    接合部
２１    管状支持台
２２    環状凹溝
２３    後端面
２４    枢動片
２５    接続片
２６    貫通孔
３０、３０ａ    注射筒
３１    前端部
３２    後端口
３３、３４    前端口
４０    プランジャー
４１    環状凹溝
４２    前端面
４３    突柱
４４    フック部
４５    嵌合錐
４６    プランジャーロッド
４７    切断部  
【図１】
0003113450.tif 000003
【図２】
0003113450.tif 000004
【図３】
0003113450.tif 000005
【図４】
0003113450.tif 000006
【図５】
0003113450.tif 000007
【図６】
0003113450.tif 000008
【図７】
0003113450.tif 000009
【図８】
0003113450.tif 000010
【図９】
0003113450.tif 000011
【図１０】
0003113450.tif 000012
【図１１】
0003113450.tif 000013
【図１２】
0003113450.tif 000014
【図１３】
0003113450.tif 000015
【図１４】
0003113450.tif 000016
【図１５】
0003113450.tif 000017
【図１６】
0003113450.tif 000018
【図１７】
0003113450.tif 000019
【図１８】
0003113450.tif 000020
【図１９】
0003113450.tif 000021
【図２０】
0003113450.tif 000022
【図２１】
0003113450.tif 000023